(57)【要約】【課題】  乾燥機主軸の点検時、主軸を上方へ引き出すことなく、直接横向きに引き出すことにより、建屋の天井が低く抑えられ、建屋の建設費を抑えると共に引き出し作業が容易となり、安全性も向上する汚泥乾燥設備を提供すること。【解決手段】  縦置きの円筒状本体１１下部を横向きに横転させる横転機構２１を有し、横転した前記円筒状本体１１の先端近くに配置された引き抜き装置２２により、回転軸１３の先端部を保持固定して、この回転軸１３を円筒状本体１１から横方向に引き抜く。【選択図】図１
2006142188.tif 000002
【特許請求の範囲】
【請求項１】
縦置きの円筒状本体内の軸中心部に回転軸を設け、この回転軸の外周に、先端が前記円筒状本体の内周面と所定間隙を成すように羽根を取り付けた汚泥乾燥設備であって、
前記縦置きの円筒状本体下部を回動可能に支持し、この円筒状本体を横向きに横転させる横転機構と、
横転した前記円筒状本体の先端近くに配置され、前記回転軸の先端部を保持して、この回転軸を円筒状本体部から横方向に引き抜く引き抜き装置と、
を備えたことを特徴とする汚泥乾燥設備。
【請求項２】
引き抜き装置は、引き抜き方向に設置されたガイドレールと、回転軸先端部を保持する保持部を有し、前記ガイドレール上を自走する自走台車とで構成されたことを特徴とする請求項１に記載の汚泥乾燥設備。
【請求項３】
ガイドレールの上方に、引き出された回転軸に取り付けられた羽根を設定する冶具を設けたことを特徴とする請求項２に記載の汚泥乾燥設備。
【発明の詳細な説明】
【技術分野】
【０００１】
本発明は、食品工業、化学工業、産業廃棄物処理業、水処理業にて排出される汚泥を乾燥処理する汚泥乾燥設備に関する。
【背景技術】
【０００２】
近年、食品工業、化学工業、産業廃棄物処理業、水処理業にて排出される汚泥を乾燥処理するものとして薄膜乾燥機が広く使用されており、多くの提案が成されている(例えば、特許文献１参照)。
【０００３】
この薄膜乾燥機は、縦置きされた円筒状本体の軸中心部に回転軸を設け、この回転軸の外周に羽根を取り付けたもので、円筒状本体の上部からペースト状の汚泥を供給し、前記回転軸に設けた羽根により円筒状本体内を降下する汚泥を、加熱ジャケットを有する前記本体内周面に薄膜状に引き伸ばして乾燥させるものである。このような薄膜乾燥機の点検に際しては、羽根を有する回転軸（以下、これを主軸と呼ぶ）を本体内から外部に引き出し、破損有無を点検したり羽根の設定を行なったりしている。
【０００４】
図２に、従来の主軸引き出しを示す。図２において、１１は円筒状の本体で、隣設された架台１２により縦向きに保持固定されている。この円筒状本体１１の軸中心部には、主軸１３が回転可能に取り付けられており、この主軸１３は、架台１２上に設けられたモータ１４により図示しないベルトを介して回転駆動される。
【０００５】
このような薄膜乾燥機の主軸１３を本体１１内から引き抜く場合は、先ず、本体１１内の乾燥機主軸１３を第１のクレーン１６により吊り上げる。次に、吊り上げた主軸１３を横置きするため、別の第２のクレーン１７により主軸１３の下部を吊り上げ、主軸１３を横向きにする。この後、主軸１３に設けられた羽根１３ａを点検したり設定するため、羽根設定治具１８上へ下ろしていた。
【特許文献１】特開平９−２９２９８号公報
【発明の開示】
【発明が解決しようとする課題】
【０００６】
しかしながら、図２に示したように薄膜乾燥機は、円筒状の本体１１及び主軸１３が縦向き配置されているため、点検時には主軸を上方へ引き出さなければならず、上方への引き出しスペースが必要となり、建屋の天井を高くしたり、または、屋上等、次の上の階を設ける必要があったため、コスト高となっていた。
【０００７】
また、引き抜いた主軸を２台のクレーンにより吊り下げ状態で横向きに変更しなければならず、作業が面倒であると共に安全上も好ましいものではなかった。
【０００８】
本発明の目的は、乾燥機主軸の点検時、主軸を上方へ引き出すことなく、直接横向きに引き出すことにより、建屋の天井が低く抑えられ、建屋の建設費を抑えると共に引き出し作業が容易となり、安全性も向上する汚泥乾燥設備を提供することにある。
【課題を解決するための手段】
【０００９】
本発明の汚泥乾燥設備は、縦置きの円筒状本体内の軸中心部に回転軸を設け、この回転軸の外周に、先端が前記円筒状本体の内周面と所定の間隙を成すように羽根を取り付けた汚泥乾燥設備であって、前記縦置きの円筒状本体下部を回動可能に支持し、この円筒状本体を横向きに横転させる横転機構と、横転した前記円筒状本体の先端近くに配置され、前記回転軸の先端部を保持して、この回転軸を円筒状本体部から横方向に引き抜く引き抜き装置とを備えたことを特徴とする。
【００１０】
また、本発明では、引き抜き装置は、引き抜き方向に設置されたガイドレールと、回転軸先端部を保持する保持部を有し、前記ガイドレール上を自走する自走台車とで構成されている。
【００１１】
さらに、本発明では、ガイドレールの上方に、引き出された回転軸に取り付けられた羽根を設定する冶具を設けてもよい。
【発明の効果】
【００１２】
本発明によれば、点検時に縦置きの本体を、下部を始点として横向きに回動させ、主軸を横向きに引き出すようにしたので、縦方向の吊り上げスペースが不要になると共に、引き抜き作業が容易、かつ安全になる。
【発明を実施するための最良の形態】
【００１３】
以下、本発明による汚泥乾燥設備の一実施の形態について、図面を用いて詳細に説明する。
【００１４】
図１において、薄膜乾燥機自体は、図２で示した従来構造と同じであり、円筒状本体１１内の軸中心部に回転軸（以下、主軸）１３を設け、この主軸１３の外周に、羽根１３ａを取り付けている。円筒状本体１１は、隣設された架台１２により、縦置きに保持されており、主軸１３は、架台１２上に設けられたモータにより図示しないベルトを介して回転駆動される。この主軸１３の回転時、その外周に設けられた羽根１３ａの先端が円筒状本体１１の内周面と所定の間隙を成すように設定されており、円筒状本体１１の上部に供給され、降下するペースト状の汚泥を、加熱ジャケット（図示せず）を有する円筒状本体１１の内周面に薄膜上に引き伸ばして乾燥させる。
【００１５】
２１は横転機構で、縦置きの円筒状本体１１の下部を回動可能に支持し、この円筒状本体１１を横向きに横転させる。この横転機構２１は、円筒状本体１１の下部両側に設けられた支点ピンを有し、この支点ピンを架台１２側に設けた軸受けにより回動可能に枢支している。また、この支点ピンには図示していないが減速機を介してモータが連結しており、このモータにより支点ピンを回動させ、円筒状本体１１を横向きに横転させるものである。
【００１６】
２２は引き抜き装置で、横転して横向きになった円筒状本体１１の先端近くに配置され、主軸１３の先端部を保持して、この主軸１３を円筒状本体１１から横方向に引き抜く。この引き抜き装置２２は、引き抜き方向に設置されたガイドレール２３と、このガイドレール上を自走する自走台車２４とを有する。自走台車２４上には、主軸１３の先端部を保持する保持部２５を設けるとともに、主軸１３の先端近くの軸部を支持固定する固定部２６を設けている。
【００１７】
２７は羽根設定用の冶具で、ガイドレール２３の上方に設けられ、引き出された主軸１３に取り付けられた羽根１３ａの設定を行う。ここで、羽根１３ａの設定とは、主軸１３から羽根１３ａの先端までの長さが所定値となるように調整することを言う。すなわち、羽根１３ａは、主軸１３の回転によりペースト状の汚泥を、円筒状本体１１の内周面に薄膜上に引き伸ばすものであり、羽根１３ａの先端と円筒状本体１１の内周面との間隙は所定値に設定されていなければならない。このため、主軸１３を引き出した際に、羽根１３ａの先端までの長さを測定し、設定された値となるように調整する。このことを羽根の設定という。
【００１８】
上記構成において、薄膜乾燥機の点検に当たっては、主軸１３とモータ１４との間に掛け渡されていた駆動用の図示しないベルトを取り外し、円筒状本体１１を横転機構２１により横向きに横転させる。このとき、引き抜き装置２２の自走台車２４は、横向きとなる円筒状本体１１の先端近くの部分の下側に配置しておく。
【００１９】
上記横転動作により、円筒状本体１１の上部に露出している主軸１３の先端近くの部分は、自走台車２４上の固定部２６により支持固定される。この横向きの状態で、保持部２５により主軸１３の先端を保持する。そして、自走台車２４を図示左方に自走させることにより、主軸１３は円筒状本体１１から引き抜かれ、羽根１３ａの設定用治具２７部分に移動する。したがって、この設定用治具２７により羽根１３ａの設定を行ったり、その他の、例えば、グリース補充などの点検作業を実施する。
【００２０】
このように、点検時、縦置きの円筒状本体１１を横転機構２１により横向きに横転させ、主軸１３の先端近くの部分を自走台車２４に乗せ、この主軸１３の先端を保持した状態でガイドレール２３に沿って移動させることにより、主軸１３を本体１１から引き抜くことが出来る。このため、従来の縦方向に引き抜く場合のように、上方への引き抜きスペースを要することはないので、建屋の天井を低くすることができるなど設備コストを大幅に低減できる。また、従来のように縦向きに引き抜いた主軸を、吊り下げ状態のまま他のクレーンで横向きに方向転換することはなく、主軸の引き出し作業が容易かつ安全になる。さらに、引き抜き動作の延長上に設定用治具２７が配置されているため、羽根１３ａの設定やグリース補充などの点検が容易に行える。
【図面の簡単な説明】
【００２１】
【図１】本発明による汚泥乾燥設備の一実施の形態を示す構成図である。
【図２】従来装置の構成図である。
【符号の説明】
【００２２】
１１    円筒状本体
１３    主軸
１３ａ    羽根
２１    横転機構
２２    引き抜き装置
２３    ガイドレール
２４    自走台車
２５    保持固定部
２７    羽根設定用治具
【図１】
2006142188.tif 000003
【図２】
2006142188.tif 000004